(57)【要約】【課題】フィット性、装着感、及び防漏性に優れたテープ型使い捨ておむつを提供する。【解決手段】前身頃２、股下部４、及び後身頃６から構成され、複数のシート１８，２０が吸収体２２を挟持した状態で積層された吸収性本体１４と、吸収性本体１４の後身頃６の左右の各側縁６ａ，６ｂから延出するように配設された止着テープ１０と、吸収性本体１４の前身頃２に配設され、止着テープ１０を取り付けるためのフロントパッチ３０と、を備え、フロントパッチ３０は、前身頃２の端縁側に位置する上縁辺３０１側がフロントパッチ３０の内側方向に向かって凹むように切り欠かれた、上部切り欠き部３１が形成されたものであり、吸収性本体１４の上部切り欠き部３１が形成された領域に、伸縮部３５が設けられている、テープ型使い捨ておむつ１００。【選択図】図１
2014168591.tif 000002
【特許請求の範囲】
【請求項１】
前身頃、股下部、及び後身頃から構成され、複数のシートが吸収体を挟持した状態で積層された吸収性本体と、
前記吸収性本体の前記後身頃の左右の各側縁から延出するように配設された止着テープと、
前記吸収性本体の前記前身頃に配設され、前記止着テープを取り付けるためのフロントパッチと、を備え、
前記フロントパッチは、前記前身頃の端縁側に位置する上縁辺側が前記フロントパッチの内側方向に向かって凹むように切り欠かれた、上部切り欠き部が形成されたものであり、
前記吸収性本体の前記上部切り欠き部が形成された領域に、伸縮部が設けられている、テープ型使い捨ておむつ。
【請求項２】
前記伸縮部は、前記上部切り欠き部が形成された領域から、前記上部切り欠き部を形成する前記上縁辺の各上端部を結ぶ境界部を跨いで設けられている、請求項１に記載のテープ型使い捨ておむつ。
【請求項３】
前記伸縮部は、前記フロントパッチが配設された領域に重ならないように設けられている、請求項１又は２に記載のテープ型使い捨ておむつ。
【請求項４】
前記伸縮部は、前記吸収性本体の前記吸収体が配設された領域に重ならないように設けられている、請求項１〜３のいずれか一項に記載のテープ型使い捨ておむつ。
【請求項５】
前記フロントパッチは、帯状の接着部と、帯状の非接着部とが、前記吸収性本体の幅方向に交互に複数配置されて、前記帯状の接着部によって前記前身頃に接着固定されたものである、請求項１〜４のいずれか一項に記載のテープ型使い捨ておむつ。
【請求項６】
前記フロントパッチを接着固定する前記帯状の接着部の、前記吸収性本体の幅方向の長さが、１〜７０ｍｍであり、前記帯状の非接着部の、前記吸収性本体の幅方向の長さが、１〜７０ｍｍである、請求項５に記載のテープ型使い捨ておむつ。
【請求項７】
前記上部切り欠き部の凹頂部から、前記上縁辺の左右の各上端部を結ぶ前記境界部までの最短距離が、５ｍｍ以上、８０ｍｍ以下である、請求項１〜６のいずれか一項に記載のテープ型使い捨ておむつ。
【請求項８】
前記フロントパッチの前記上縁辺は、前記上部切り欠き部の凹頂部と、前記上縁辺の左右の各上端部のうちの少なくとも一方を繋ぐ、曲線を含む、請求項１〜７のいずれか一項に記載のテープ型使い捨ておむつ。
【請求項９】
前記フロントパッチには、前記上縁辺と対向する下縁辺側に、前記フロントパッチの左下角を切り欠いた左下切り欠き部と、前記フロントパッチの右下角を切り欠いた右下切り欠き部と、が形成されている、請求項１〜８のいずれか一項に記載のテープ型使い捨ておむつ。
【請求項１０】
前記フロントパッチの前記下縁辺は、前記左下切り欠き部の凹頂部、前記フロントパッチの下端部、及び前記右下切り欠き部の凹頂部を繋ぐ、曲線を含む、請求項９に記載のテープ型使い捨ておむつ。
【請求項１１】
前記フロントパッチの前記上縁辺の形状と、前記フロントパッチの前記下縁辺の形状とが、同一形状である、請求項９又は１０に記載のテープ型使い捨ておむつ。
【請求項１２】
前記フロントパッチは、前記上縁辺の左右の各末端から延びる２つの側縁辺を有し、
前記上縁辺の左右の各上端部は、前記上縁辺の左右の各末端よりも、前記フロントパッチの前記中央領域側寄りに位置し、
前記側縁辺と前記上縁辺の交点における前記上縁辺の接線と、前記側縁辺と、のなす角が、鈍角である、請求項１〜１１のいずれか一項に記載のテープ型使い捨ておむつ。
【請求項１３】
前記フロントパッチは、前記上縁辺の左右の各末端から延びる２つの側縁辺を有し、
前記上縁辺の左右の各上端部は、前記上縁辺の左右の各末端と一致しており、
前記側縁辺と前記上縁辺の交点における前記上縁辺の接線と、前記側縁辺と、のなす角が、鋭角である、請求項１〜１１のいずれか一項に記載のテープ型使い捨ておむつ。
【発明の詳細な説明】
【技術分野】
【０００１】
本発明は、テープ型使い捨ておむつに関する。
【背景技術】
【０００２】
従来から、後身頃に止着テープが取り付けられ、前身頃にフロントパッチが設けられたテープ型使い捨ておむつが知られている。止着テープとフロントパッチは、例えば、フック材（雄部材）とループ材（雌部材）の面ファスナーにより機械的に結合できるようになっている。このため、後身頃に設けられた止着テープを、前身頃に設けられたフロントパッチに止め付けることで、テープ型使い捨ておむつを着用者の身体に装着することができる。
【０００３】
このようなテープ型使い捨ておむつの従来技術として、例えば、下記の特許文献１〜３を挙げることができる。
【０００４】
特許文献１には、止着部を有するファスニングテープが設けられた背側部におけるウエスト開口縁部に、幅方向に亘ってウエスト部弾性部材が配されており、該背側部における胴回り部に、それぞれ幅方向に亘って複数の胴回り部弾性部材が配されたテープ型使い捨ておむつが開示されている。そして、この特許文献１には、フロントパッチの上側、即ち、腹側端部に弾性部材を伸張状態で配設することも記載されている。また、特許文献２には、ファスニングテープの本体部に、細長状弾性部材が伸張状態で配設されたテープ型使い捨ておむつが開示されている。また、特許文献３には、フロントパッチの上縁辺側に、フロントパッチの内側方向に向かって凹む中央切り欠き部が形成されたテープ型使い捨ておむつが開示されている。
【先行技術文献】
【特許文献】
【０００５】
【特許文献１】特開２００２−２２４１６０号公報
【特許文献２】特開２００９−２０１８４９号公報
【特許文献３】特許第５０１１４５７号公報
【発明の概要】
【発明が解決しようとする課題】
【０００６】
特許文献１に記載のテープ型使い捨ておむつでは、腹側端部に配設された弾性部材により腹部を締め付けることができるので、防漏性の向上を図ることができる。しかしながら、テープ型使い捨ておむつの装着時において、止着テープは、腹側端部に配設された弾性部材よりも下方に位置するフロントパッチに止着されるため、止着テープと連動したフィット性には寄与せず、十分なフィット性を得ることができないという問題があった。また、特許文献２に記載のテープ型使い捨ておむつでは、止着テープ（ファスニングテープ）の伸縮によりフィット性は向上するが、フロントパッチの影響で、腹部の装着感、防漏性の寄与は少ないという問題があった。
【０００７】
また、テープ型使い捨ておむつのフロントパッチの素材構成は、フィルムと不織布であり、このような素材は硬く、腰があるため、着用者の腹回り（すなわち、フロントパッチ周辺）のフィット性、装着感が良くないという問題もあった。また、フロントパッチの周辺、特に吸収体が配置されていない腹側の境界部分は、止着テープのズレの影響が出やすく、漏れに繋がりやすいという問題もあった。また、フィット性を向上させるために、フロントパッチの裏側に伸縮材を配置しても、フロントパッチに腰があるため、伸縮力が効果的に発揮できず、フィット性の向上を図ることは困難である。更に、フロントパッチの裏側に配置する伸縮材の伸縮力を上げても、フロントパッチが収縮してしまい、止着テープが付けづらいなどの状況が生じ、使い勝手が悪化してしまう。特許文献３に記載のテープ型使い捨ておむつでは、着用者の腹部又は両脚部の付け根がフロントパッチに当たることを防止でき、装着感の向上を図ることができるが、フィット性、装着感、及び防漏性が更に向上されたテープ型使い捨ておむつの開発が要望されていた。特に、特許文献３に記載のテープ型使い捨ておむつにおいては、フロントパッチの腹側幅方向の部分（すなわち、切り欠き部分）に関し、フィット性、装着感、及び防漏性の更なる向上が望まれていた。
【０００８】
本発明は、前記のような従来技術の有する課題に鑑みてなされたものである。即ち、本発明は、フィット性、装着感、及び防漏性に優れたテープ型使い捨ておむつを提供するものである。
【課題を解決するための手段】
【０００９】
本発明によれば、以下のテープ型使い捨ておむつが提供される。
【００１０】
［１］  前身頃、股下部、及び後身頃から構成され、複数のシートが吸収体を挟持した状態で積層された吸収性本体と、前記吸収性本体の前記後身頃の左右の各側縁から延出するように配設された止着テープと、前記吸収性本体の前記前身頃に配設され、前記止着テープを取り付けるためのフロントパッチと、を備え、前記フロントパッチは、前記前身頃の端縁側に位置する上縁辺側が前記フロントパッチの内側方向に向かって凹むように切り欠かれた、上部切り欠き部が形成されたものであり、前記吸収性本体の前記上部切り欠き部が形成された領域に、伸縮部が設けられている、テープ型使い捨ておむつ。
【００１１】
［２］  前記伸縮部は、前記上部切り欠き部が形成された領域から、前記上部切り欠き部を形成する前記上縁辺の各上端部を結ぶ境界部を跨いで設けられている、前記［１］に記載のテープ型使い捨ておむつ。
【００１２】
［３］  前記伸縮部は、前記フロントパッチが配設された領域に重ならないように設けられている、前記［１］又は［２］に記載のテープ型使い捨ておむつ。
【００１３】
［４］  前記伸縮部は、前記吸収性本体の前記吸収体が配設された領域に重ならないように設けられている、前記［１］〜［３］のいずれかに記載のテープ型使い捨ておむつ。
【００１４】
［５］  前記フロントパッチは、帯状の接着部と、帯状の非接着部とが、前記吸収性本体の幅方向に交互に複数配置されて、前記帯状の接着部によって前記前身頃に接着固定されたものである、前記［１］〜［４］のいずれかに記載のテープ型使い捨ておむつ。
【００１５】
［６］  前記フロントパッチを接着固定する前記帯状の接着部の、前記吸収性本体の幅方向の長さが、１〜７０ｍｍであり、前記帯状の非接着部の、前記吸収性本体の幅方向の長さが、１〜７０ｍｍである、前記［５］に記載のテープ型使い捨ておむつ。
【００１６】
［７］  前記上部切り欠き部の凹頂部から、前記上縁辺の左右の各上端部を結ぶ前記境界部までの最短距離が、５ｍｍ以上、８０ｍｍ以下である、前記［１］〜［６］のいずれかに記載のテープ型使い捨ておむつ。
【００１７】
［８］  前記フロントパッチの前記上縁辺は、前記上部切り欠き部の凹頂部と、前記上縁辺の左右の各上端部のうちの少なくとも一方を繋ぐ、曲線を含む、前記［１］〜［７］のいずれかに記載のテープ型使い捨ておむつ。
【００１８】
［９］  前記フロントパッチには、前記上縁辺と対向する下縁辺側に、前記フロントパッチの左下角を切り欠いた左下切り欠き部と、前記フロントパッチの右下角を切り欠いた右下切り欠き部と、が形成されている、前記［１］〜［８］のいずれかに記載のテープ型使い捨ておむつ。
【００１９】
［１０］  前記フロントパッチの前記下縁辺は、前記左下切り欠き部の凹頂部、前記フロントパッチの下端部、及び前記右下切り欠き部の凹頂部を繋ぐ、曲線を含む、前記［９］に記載のテープ型使い捨ておむつ。
【００２０】
［１１］  前記フロントパッチの前記上縁辺の形状と、前記フロントパッチの前記下縁辺の形状とが、同一形状である、前記［９］又は［１０］に記載のテープ型使い捨ておむつ。
【００２１】
［１２］  前記フロントパッチは、前記上縁辺の左右の各末端から延びる２つの側縁辺を有し、前記上縁辺の左右の各上端部は、前記上縁辺の左右の各末端よりも、前記フロントパッチの前記中央領域側寄りに位置し、前記側縁辺と前記上縁辺の交点における前記上縁辺の接線と、前記側縁辺と、のなす角が、鈍角である、前記［１］〜［１１］のいずれかに記載のテープ型使い捨ておむつ。
【００２２】
［１３］  前記フロントパッチは、前記上縁辺の左右の各末端から延びる２つの側縁辺を有し、前記上縁辺の左右の各上端部は、前記上縁辺の左右の各末端と一致しており、前記側縁辺と前記上縁辺の交点における前記上縁辺の接線と、前記側縁辺と、のなす角が、鋭角である、前記［１］〜［１１］のいずれかに記載のテープ型使い捨ておむつ。
【発明の効果】
【００２３】
本発明のテープ型使い捨ておむつにおいては、以下の構成を採用することによって、フィット性、装着感、及び防漏性が向上する。即ち、フロントパッチは、前身頃の端縁側に位置する上縁辺側が、このフロントパッチの内側方向に向かって凹むように切り欠かれた、上部切り欠き部が形成されたものであり、吸収性本体の上部切り欠き部が形成された領域に、伸縮部が設けられている。したがって、止着テープの同周円上で伸縮部が存在することとなり、フィット性が向上する。また、着用者の腹部の圧力がかかる部分に伸縮部が存在するため、装着感が向上する。更に、従来のテープ型使い捨ておむつでは、腹部、特にフロントパッチの境界部分は隙間ができやすいものであったが、上部切り欠き部が形成された領域に伸縮部が設けられることで、フロントパッチの境界部分をしっかりと押さえることができ、防漏性が向上する。
【図面の簡単な説明】
【００２４】
【図１】本発明のテープ型使い捨ておむつの実施形態１を模式的に示す平面図であり、テープ型使い捨ておむつを展開し、バックシート側から見た状態を示す図である。
【図２】本発明のテープ型使い捨ておむつの実施形態１を示す一部切り欠き断面図であり、テープ型使い捨ておむつを展開し、トップシート側から見た状態を示す図である。
【図３】本発明のテープ型使い捨ておむつの実施形態１のフロントパッチが配設された部分を模式的に示す拡大模式図である。
【図４】図３に示すフロントパッチを模式的に示す平面図である。
【図５】本発明のテープ型使い捨ておむつの実施形態２のフロントパッチが配設された部分を模式的に示す拡大模式図である。
【図６】本発明のテープ型使い捨ておむつの実施形態３のフロントパッチが配設された部分を模式的に示す拡大模式図である。
【図７】本発明のテープ型使い捨ておむつの実施形態４のフロントパッチが配設された部分を模式的に示す拡大模式図である。
【図８】本発明のテープ型使い捨ておむつの実施形態５のフロントパッチが配設された部分を模式的に示す拡大模式図である。
【図９】本発明のテープ型使い捨ておむつの実施形態６のフロントパッチが配設された部分を模式的に示す拡大模式図である。
【図１０】本発明のテープ型使い捨ておむつの実施形態７のフロントパッチが配設された部分を模式的に示す拡大模式図である。
【図１１】本発明のテープ型使い捨ておむつの実施形態８のフロントパッチが配設された部分を模式的に示す拡大模式図である。
【図１２】フロントパッチの製造工程の概要を説明するための模式図である。
【発明を実施するための形態】
【００２５】
以下、本発明のテープ型使い捨ておむつを実施するための形態について具体的に説明する。
【００２６】
［実施形態１］
以下、本発明のテープ型使い捨ておむつの実施形態１について、図面を用いて説明する。図１、図２及び図３に示すように、実施形態１のテープ型使い捨ておむつ１００は、吸収性本体１４と、止着テープ１０と、フロントパッチ３０と、を備えたものである。吸収性本体１４は、前身頃２、股下部４、及び後身頃６から構成され、複数のシート（例えば、トップシート１８及びバックシート２０）が吸収体２２を挟持した状態で積層されたものである。止着テープ１０は、吸収性本体１４の後身頃６の左右の各側縁６ａ，６ｂから延出するように配設されている。フロントパッチ３０は、止着テープ１０を取り付けるためのものであり、吸収性本体１４の前身頃２の肌非当接面側に配設されている。
【００２７】
そして、実施形態１のテープ型使い捨ておむつ１００のフロントパッチ３０は、前身頃２の端縁側に位置する上縁辺３０１側がフロントパッチ３０の内側方向に向かって凹むように切り欠かれた、上部切り欠き部３１が形成されたものである。更に、吸収性本体１４の上部切り欠き部３１が形成された領域には、伸縮部３５が設けられている。
【００２８】
このように構成されたテープ型使い捨ておむつ１００は、フィット性、装着感、及び防漏性が向上する。すなわち、上部切り欠き部３１が形成された領域に伸縮部３５が設けられているため、テープ型使い捨ておむつ１００の装着時において、止着テープ１０の同周円上で伸縮部３５が存在することとなり、フィット性が向上する。また、着用者の腹部の圧力がかかる部分（例えば、仰臥位から座位へ姿勢変更するときに圧力がかかる部分）に、上部切り欠き部３１が形成され、且つ上部切り欠き部３１が形成された領域に伸縮部３５が設けられているため、装着感が向上する。更に、従来のテープ型使い捨ておむつでは、腹部、特にフロントパッチの境界部分には隙間ができやすいものであったが、上部切り欠き部３１が形成された領域に伸縮部３５が設けられることで、フロントパッチ３０の境界部分をしっかりと押さえることができ、防漏性が向上する。
【００２９】
ここで、図１は、本発明のテープ型使い捨ておむつの実施形態１を模式的に示す平面図であり、テープ型使い捨ておむつを展開し、バックシート側から見た状態を示す図である。図２は、本発明のテープ型使い捨ておむつの一の実施形態を示す一部切り欠き断面図であり、テープ型使い捨ておむつを展開し、トップシート側から見た状態を示す図である。図３は、本発明のテープ型使い捨ておむつの一の実施形態のフロントパッチが配設された部分を模式的に示す拡大模式図である。なお、図３においては、フロントパッチ３０の右側の部位に、後身頃６の側縁６ａ，６ｂから延出するように配設された止着テープ１０が取り付けられた状態を示している。
【００３０】
なお、本明細書中において「テープ型使い捨ておむつ」とは、図１に示すテープ型使い捨ておむつ１００のように、吸収性本体１４と、止着テープ１０と、フロントパッチ３０と、を備えた使い捨ておむつを意味するものとする。テープ型使い捨ておむつ１００は、後身頃６を着用者の背部にあてがい、前身頃２を着用者の腹部にあてがった状態で、後身頃６に取り付けられている止着テープ１０を、前身頃２に設けられたフロントパッチ３０に止め付けることにより、着用者に装着することが可能である。本明細書において、「前身頃」とは、おむつの装着時において着用者の腹部を覆う部位を意味し、おむつの装着時において「後身頃」との着用者の背部を覆う部位を意味し、「股下部」とは、前身頃と後身頃の間に位置する部位を意味する。また、本明細書において、「左右方向」という場合は、図１に示される展開されたテープ型使い捨ておむつの幅方向（装着時における胴回り方向）のことを意味する。すなわち、「左右方向」という場合は、図１中の左右方向のことを意味する。「上下方向」という場合は、図１に示される展開されたテープ型使い捨ておむつの長手方向（前身頃の端縁から後身頃の端縁に向かう方向）のことを意味する。すなわち、「上下方向」という場合は、図１中の上下方向のことを意味する。「左右方向」と「上下方向」は、互いに直交する方向である。
【００３１】
（１．テープ型使い捨ておむつの各部構成）
以下、テープ型使い捨ておむつの各部の構成について説明する。
【００３２】
（１−１．伸縮部）
吸収性本体１４の上部切り欠き部３１が形成された領域に設けられた伸縮部３５は、伸張状態で吸収性本体１４に配設された伸縮材３６によって形成されている。実施形態１のテープ型使い捨ておむつ１００における伸縮材３６としては、天然ゴム、合成ゴム（ウレタンゴム、オレフィンゴム等）の弾性材からなる糸ゴム、平ゴムを挙げることができる。伸縮材３６は、前身頃２の一方の側縁２ａから他方の側縁２ｂに向かう方向に伸張状態で配設されている。図１〜図３においては、３本の伸縮材３６を、直線状に、それぞれが平行となるように配設した場合の例を示している。伸縮材３６の本数については特に制限はない。伸縮材３６は、伸縮部３５の伸縮の程度等を勘案した上で、構成材料、その材料の伸長率、固定時の伸長状態等を決定すればよい。伸縮材３６が糸ゴム状の場合、その太さとしては、１００〜２０００デシテックスであることが好ましく、４００〜１４００デシテックスであることが更に好ましい。また、伸縮材３６は、十分な伸縮力を作用させるため、伸長状態で固定することが好ましい。例えば、伸縮材３６は、１００〜３００％の伸長状態で固定することが好ましく、１５０〜２７０％の伸長状態で固定することがより好ましい。このような範囲の伸長状態で固定することにより、十分な伸縮力を作用させることが可能となる。
【００３３】
伸縮部３５は、上部切り欠き部３１が形成された領域から、上部切り欠き部３１を形成する上縁辺３０１の各上端部３０２を結ぶ境界部Ｘを跨いで設けられていることが好ましい。境界部Ｘを跨いで伸縮部３５が設けられることにより、腹周りのフィット性が更に向上する。また、境界部Ｘを伸縮部３５によって確りと押さえることができるため、防漏性を更に向上する。境界部Ｘとは、上部切り欠き部３１を形成する上縁辺３０１の各上端部３０２を結んだ際に描かれる直線を含む領域のことである。この境界部Ｘは、例えば、フロントパッチ３０に上部切り欠き部３１が形成されていない矩形のフロントパッチを想定した場合、当該フロントパッチの上縁辺の境界部分に相当する。
【００３４】
伸縮部３５は、フロントパッチ３０が配設された領域に重ならないように設けられていることが好ましい。このように構成することによって、フロントパッチ３０に対して不要な伸縮力が作用せず、フロントパッチの収縮などを有効に抑制することができる。したがって、フロントパッチ３０に止着テープ１０を付け易くなる。また、上部切り欠き部３１が形成された領域に対して良好に伸縮力を発現させることができるため、より良好なフィット性を得ることができる。フロントパッチ３０が配設された領域に重ならないように伸縮部３５を設ける方法については特に制限はない。例えば、フロントパッチ３０が配設された領域を避けて、上部切り欠き部３１が形成された領域のみに伸縮材３６を配置してもよい。また、フロントパッチ３０が配設された領域に重なる部分について、伸縮材３６をカットし、伸縮材３６の伸縮力が発現しないようにしてもよい。
【００３５】
伸縮部３５は、吸収性本体１４の吸収体２２が配設された領域に重ならないように設けられていることが好ましい。このように構成することによって、吸収体２２に対して不要な伸縮力が作用せず、吸収体２２の収縮などを有効に抑制することができる。このため、テープ型使い捨ておむつ１００のフィット性及び装着感が更に向上する。吸収体２２が配設された領域に重ならないように伸縮部３５を設ける方法については特に制限はない。例えば、吸収体２２が配設された領域を避けて、伸縮材３６を配置してもよいし、また、吸収体２２が配設された領域に重なる部分について、伸縮材３６をカットし、伸縮材３６の伸縮力が発現しないようにしてもよい。
【００３６】
伸縮材３６は、例えば、上部切り欠き部３１が形成された領域に対して、接着剤その他の手段により固定される。固定方法としては、例えば、ホットメルト接着剤、その他の流動性の高い接着剤を用いた接着であってもよいし、ヒートシールのような熱や超音波等による溶着であってもよい。なお、伸縮材３６の固定方法については、上述した方法に限定されることはない。
【００３７】
（１−２．フロントパッチ）
フロントパッチ３０は、後身頃６に設けられた止着テープ１０を、前身頃２に止め付けて維持するための部材である。フロントパッチ３０は、前身頃２の外表面（肌非当接面側）に取り付けられており、上述した止着テープ１０とともに、ファスニング機構を構成する。例えば、止着テープ１０の止着手段４４として粘着テープが採用された場合には、フロントパッチ３０は、表面が平滑なプラスチックフィルム等で形成すればよい。一方、止着テープ１０の止着手段４４として、面状ファスナーのフック材が採用された場合には、フロントパッチ３０としては面状ファスナーのループ材を採用すればよい。
【００３８】
これまでに説明したように、フロントパッチ３０には、前身頃２の端縁側に位置する上縁辺３０１側がフロントパッチ３０の内側方向に向かって凹むように切り欠かれた、上部切り欠き部３１が形成されている。ここで、フロントパッチ３０を、中央領域３０ａ（図３参照）と、中央領域３０ａよりも左側方に位置する左側方領域３０ｂ（図３参照）と、中央領域３０ａよりも右側方に位置する右側方領域３０ｃ（図３参照）に区分した場合を想定する。これらの領域の区分は、フロントパッチ３０を、中央領域３０ａ、左側方領域３０ｂ、及び右側方領域３０ｃに左右方向に三等分したものであってもよいし、中央領域３０ａ、左側方領域３０ｂ、及び右側方領域３０ｃを、例えば４：３：３や６：２：２のように任意の比率で区分することとしてもよい。上部切り欠き部３１の凹頂部３１１は、フロントパッチの中央領域３０ａに位置することが好ましい。このように、フロントパッチ３０に上部切り欠き部３１が設けられているため、着用者が前傾の姿勢や座位の姿勢をとった場合であっても、その腹部がフロントパッチ３０の上縁に当たることを防止できる。したがって、従来のテープ型使い捨ておむつと比較し、着用感を向上させることができる。なお、凹頂部３１１は、形成された切り欠きの最も凹んだ箇所を意味する。また、図１〜図３においては、上部切り欠き部３１の最も凹んだ箇所（すなわち、凹頂部３１１）が１点であり、この最も凹んだ箇所から切り欠きの深さが左右方向に漸減するように構成されているが、凹頂部３１１は、左右方向に所定の幅を有するものであってもよい。例えば、凹頂部３１１が直線状に形成されていてもよい。また、凹頂部３１１は、上縁辺３０１の中心から左右方向に所定距離ずれた箇所に位置していてもよい。
【００３９】
上部切り欠き部３１の凹頂部３１１から、上縁辺３０１の左右の各上端部３０２を結ぶ境界部Ｘまでの最短距離が、５ｍｍ以上、８０ｍｍ以下であることが好ましい。この「最短距離」は、上部切り欠き部３１の凹み幅である。フロントパッチ３０の上端部３０２は、左側方領域と右側方領域のいずれに位置するものであってもよく、また、フロントパッチ３０の上端部３０２は、実質的に、左側方領域と右側方領域の両方に形成されるものであってもよい。また、左側方領域に配される上端部３０２と、右側方領域に配される上端部３０２とは、上下方向に互いの配設位置が異なっていてもよい。
【００４０】
上記構成のように、上部切り欠き部３１の「最短距離」を５ｍｍ以上とすることにより、テープ型使い捨ておむつ１００を装着したまま前屈みになった場合であっても、フロントパッチ３０により腹部が圧迫され難くなり、装着感が向上する。上部切り欠き部３１の「最短距離」が８０ｍｍ以下であれば、後身頃６に設けられた止着テープ１０を前身頃２に固定するというフロントパッチ３０の機能を損なうこともない。
【００４１】
フロントパッチ３０の上縁辺３０１は、上部切り欠き部３１の凹頂部３１１と、上縁辺３０１の左右の各上端部３０２のうちの少なくとも一方を繋ぐ、曲線を含むものであってもよい。上記構成のように、上部切り欠き部３１の凹頂部３１１とフロントパッチ３０の上端部３０２を曲線で繋ぐことにより、着用者の腹部の形状に合わせて上部切り欠き部３１を形成することができる。したがって、テープ型使い捨ておむつの装着感をより向上させることができる。上記曲線は、緩やかなＳ字状の曲線であってもよいし、緩やかな円弧状の曲線であってもよい。なお、図１及び図３においては、フロントパッチの形状を説明するために、一部の要素に黒丸を付けて表しているが、この黒丸は実在するものではない。また、上縁辺３０１の各上端部３０２を結ぶ境界部Ｘに破線を付して示しているが、この破線は実在しない仮想線である。
【００４２】
フロントパッチ３０には、上縁辺３０１と対向する下縁辺３０２側に、フロントパッチ３０の左下角を切り欠いた左下切り欠き部３２と、フロントパッチ３０の右下角を切り欠いた右下切り欠き部３３と、が形成されていてもよい。上記構成のように、フロントパッチ３０の下縁辺３０３の左右の角部に切り欠き部（左下切り欠き部３２、及び右下切り欠き部３３）を形成することにより、着用者が前傾姿勢や座位姿勢をとっている場合であっても、両脚部の付け根（股関節周縁）の可動域を十分に確保することができる。これにより、テープ型使い捨ておむつ１００の装着感を更に向上させることができる。このように、フロントパッチ３０は、湾曲又は屈折した上縁辺３０１と、上縁辺３０１に対向し湾曲又は屈折した下縁辺３０３と、上縁辺３０１の左端部と下縁辺３０３の左端部を繋ぐ左側縁辺３０５と、上縁辺３０１の右端部と下縁辺３０３の右端部を繋ぐ右側縁辺３０６と、を基本構成とすることが好ましい。なお、左下切り欠き部３２の凹頂部３２１と右下切り欠き部３３の凹頂部３３１は、上下方向に高低差を有するものであってもよい。
【００４３】
フロントパッチの下縁辺３０３は、左下切り欠き部３２の凹頂部３２１、フロントパッチの下端部３０４、及び右下切り欠き部３３の凹頂部３２１を繋ぐ、曲線を含むものであってもよい。このような構成を採用することで、着用者の両脚部の可動域の形状に合わせてフロントパッチ３０の下縁辺３０３を湾曲させることができる。したがって、装着感を更に向上させることができる。
【００４４】
フロントパッチ３０の下端部３０４から左右方向に延びる直線と、左下切り欠き部３２の凹頂部３２１から左右方向に延びる直線及び右下切り欠き部３３の凹頂部３３１から左右方向に延びる直線の間の最短距離は、５ｍｍ以上、８０ｍｍ以下であることが好ましい。このように構成することによって、テープ型使い捨ておむつを装着したまま前屈みになった場合であっても、フロントパッチ３０下方の角部に脚部の付け根が当たるという事態を防止でき、更に、後身頃６に設けられた止着テープ１０を前身頃２に固定するというフロントパッチ３０の機能を損なうこともない。
【００４５】
フロントパッチ３０の下端部３０４は、フロントパッチ３０の下縁辺３０３の中央に位置していることが好ましいが、左右方向に所定距離ずれた箇所に位置していてもよい。フロントパッチ３０の上縁辺３０１の形状と、フロントパッチ３０の下縁辺３０４の形状とが、同一形状であってもよいし、異なる形状であってもよい。図１〜図３に示すテープ型使い捨ておむつ１００においては、フロントパッチ３０の上縁辺３０１の形状と、フロントパッチ３０の下縁辺３０４の形状とが、同一形状である。フロントパッチ３０は、その製造工程において、フロントパッチ３０の上縁辺３０１と下縁辺３０３に対応する位置で裁断されることにより形成される。このため、上縁辺３０１と下縁辺３０３を同一の曲線形状とすることにより、フロントパッチ３０を同一の裁断刃で裁断することができるようになる。したがって、フロントパッチ３０の上縁辺３０１と下縁辺３０３を裁断する裁断手段（裁断刃）を別々に設ける必要がなくなるとともに、トリム回収手段も必要ないため、製造機に投じるコストを節減することができる。
【００４６】
フロントパッチ３０は、上縁辺３０１の左右の各末端から延びる２つの側縁辺（左側縁辺３０５、及び右側縁辺３０６）を有している。以下、左側縁辺３０５及び右側縁辺３０を総称して、「側縁辺３０５，３０６」ということがある。ここで、フロントパッチ３０の上縁辺３０１の左右の各上端部３０２，３０２は、上縁辺３０１の左右の各末端よりも、フロントパッチ３０の中央領域３０ａ側寄りに位置していてもよいし、上縁辺３０１の左右の各上端部３０２，３０２は、上縁辺３０１の左右の各末端と一致していてもよい。図１〜図３においては、フロントパッチ３０の上縁辺３０１の左右の各上端部３０２，３０２は、上縁辺３０１の左右の各末端よりも、フロントパッチ３０の中央領域３０ａ側寄りに位置している。そして、左右の各上端部３０２，３０２と、上縁辺３０１の左右の各末端との間の上縁辺３０１は直線状に形成されている。
【００４７】
例えば、フロントパッチ３０の上端部３０２が、上縁辺３０１と各側縁辺３０５，３０６の交点と一致していない場合においては、上縁辺３０１と各側縁辺３０５，３０６の交点と上部切り欠き部３１の凹頂部３１１とを、緩やかなＳ字状の曲線により結ぶこととしてもよい。これにより、フロントパッチ３０の上縁辺３０１の全体を緩やかな曲線において構成することができる。したがって、仮に着用者の腹部がフロントパッチ３０の上縁辺３０１に接触した場合であっても、着用者に不要な圧迫感を与える事態を防止できる。フロントパッチ３０の上端部３０２と、上縁辺３０１と各側縁辺３０５，３０６の交点のズレの差は、例えば、０．５〜１０ｍｍ、１〜８ｍｍ、２〜６ｍｍ、又は３〜４ｍｍとすることができる。
【００４８】
ここで、フロントパッチ３０の上縁辺３０１の左右の各上端部３０２，３０２が、上縁辺３０１の左右の各末端よりも、フロントパッチ３０の中央領域３０ａ側寄りに位置している場合において、側縁辺３０５，３０６と上縁辺３０１の交点における上縁辺３０１の接線と、側縁辺３０５，３０６と、のなす角が、鈍角であってもよい。上記上縁辺３０１の接線と、側縁辺３０５，３０６と、のなす角が鈍角である場合には、その角度が、９５〜１３５°であることが好ましく、１００〜１３０°であることが更に好ましく、１０５〜１１０°であることが特に好ましい。
【００４９】
また、フロントパッチ３０の上縁辺３０１の左右の各上端部３０２，３０２が、上縁辺３０１の左右の各末端と一致している場合、側縁辺３０５，３０６と上縁辺３０１の交点における上縁辺３０１の接線と、側縁辺３０５，３０６と、のなす角が、鋭角であってもよい。上記上縁辺３０１の接線と、側縁辺３０５，３０６と、のなす角が鋭角である場合には、その角度が、４５〜８５°であることが好ましく、５０〜８０°であることが更に好ましく、７０〜７５°であることが特に好ましい。
【００５０】
また、図示は省略するが、フロントパッチは、中央領域、左側方領域、及び右側方領域に分割して形成されることとしてもよい。例えば、フロントパッチは、中央領域に属する第１片と、左側方領域に属する第２片と、右側方領域に属する第３片により形成されることとしてもよい。このように、フロントパッチを別々に形成された３つの片を組み合わせにより製造した場合、中央領域に属する第１片を、第２片や第３片と比較し、前身頃の下方にずらして取り付けることにより、上部切り欠き部、左下切り欠き部、及び右下切り欠き部が形成されたフロントパッチを容易に製造することが可能になる。
【００５１】
次に、図３及び図４を参照して、フロントパッチ３０の形状の寸法の概略を説明する。ここでは、本発明を、大人用のテープ型使い捨ておむつに適用した場合の例について説明する。ただし、フロントパッチ３０の形状の寸法は以下の説明に限定されるものではなく、適宜変更することにより、例えば、幼児用の使い捨ておむつにも適用することができる。図４は、図３に示すフロントパッチ３０を模式的に示す平面図である。
【００５２】
図３及び図４に示されるように、フロントパッチ３０の左右方向の長さ（線分Ａ）は、２００〜６００ｍｍであることが好ましく、２８０〜５００ｍｍであることが特に好ましい。また、フロントパッチ３０の上下方向の長さ、すなわち、フロントパッチ３０の上端部３０２から下端部３０４までの上下方向の長さ（線分Ｂ）は、１００〜２００ｍｍであることが好ましく、１４０ｍｍ〜１８０ｍｍであることが更に好ましい。ここで、フロントパッチ３０の上下方向の長さ（線分Ｂ）は、その左右方向の長さ（線分Ａ）に対して、２０〜６０％の長さであることが好ましく、２５〜５０％の長さであることが特に好ましい。
【００５３】
図３及び図４に示されるように、フロントパッチ３０の上端部３０２から左右方向に延びる直線と、上部切り欠き部３１の凹頂部３１１から左右方向に延びる直線の間の距離（線分Ｃ）は、５〜８０ｍｍ、１０〜６０ｍｍ、又は１５〜５０ｍｍであることが好ましく、２０〜４０ｍｍであることが特に好ましい。また、フロントパッチ３０の左側縁辺３０５及び右側縁辺３０６の長さ（線分Ｄ）は、５０〜２００ｍｍであることが好ましく、１２０〜１６０ｍｍであることが特に好ましい。なお、左側縁辺３０５の長さと右側縁辺３０６の長さは、実質的に同一であることが好ましいが、一致していなくてもよい。ここで、フロントパッチ３０の上端部３０２から上部切り欠き部３１の凹頂部３１１までの上下方向の距離（線分Ｃ）は、フロントパッチ３０の左側縁辺３０５及び右側縁辺３０６の長さ（線分Ｄ）に対して、１〜５０％、又は１０〜４０％の距離であることが好ましく、２０〜３０％の距離であることが特に好ましい。
【００５４】
図３及び図４に示されるように、中央領域３０ａにおいて、上部切り欠き部３１の凹頂部３１１から左右方向に延びる直線と、フロントパッチ３０の下端部３０４から左右方向に延びる直線の間の距離（線分Ｅ）は、５０〜２００ｍｍであることが好ましく、１２０〜１６０ｍｍであることが特に好ましい。また、左側方領域３０ｂにおいて、フロントパッチ３０の上端部３０２から左右方向に延びる直線と、左下切り欠き部３２の凹頂部３２１から左右方向に延びる直線の間の距離（線分Ｆ）は、５０〜２００ｍｍであることが好ましく、１２０〜１６０ｍｍであることが特に好ましい。また、右側方領域３０ｃにおいて、フロントパッチ３０の上端部３０２から左右方向に延びる直線と、右下切り欠き部３３の凹頂部３３１から左右方向に延びる直線の間の距離（線分Ｇ）は、５０〜２００ｍｍであることが好ましく、１２０〜１６０ｍｍであることが特に好ましい。ここで、図４に示された線分Ｅ、線分Ｆ、及び線分Ｇの長さは、実質的に同一であってもよいし、異なっていてもよい。例えば、線分Ｆ又は線分Ｇの長さは、線分Ｅの長さに対して、５０〜９０％の長さであってもよいし、６０〜８０％の長さであってもよい。また、線分Ｅと、線分Ｆと、線分Ｇとは、フロントパッチ３０の左側縁辺３０５及び右側縁辺３０６の長さ（線分Ｄ）と実質的に同じであってもよいし、異なっていてもよい。
【００５５】
また、中央領域３０ａにおいて、上部切り欠き部３１の凹頂部３１１は、フロントパッチ３０の上縁辺３０１の中央から、左右方向に所定距離ずれているものであってもよい。すなわち、上部切り欠き部３１の凹頂部３１１から上下方向に延びる直線と左側縁辺３０５の間の距離（線分Ｈ）と、上部切り欠き部３１の凹頂部３１１から上下方向に延びる直線と右側縁辺３０６の間の距離（線分Ｉ）は、異なるものであってもよい。例えば、線分Ｈは、線分Ｉに対して、７０〜９０％の距離とすることとしてもよい。同様に、中央領域３０ａにおいて、フロントパッチ３０の下端部３０４は、フロントパッチ３０の下縁辺３０３の中央から、左右方向に所定距離ずれているものであってもよい。
【００５６】
図３及び図４に示されるように、フロントパッチ３０の下端部３０４から左右方向に延びる直線と、左下切り欠き部３２の凹頂部３２１（又は右下切り欠き部３３の凹頂部３３１）から左右方向に延びる直線の間の距離（線分Ｊ）は、５〜８０ｍｍ、１０〜６０ｍｍ、又は１５〜５０ｍｍであることが好ましく、２０〜４０ｍｍであることが特に好ましい。ここで、フロントパッチ３０の下端部３０４から左下切り欠き部３２の凹頂部３２１（又は右下切り欠き部３３の凹頂部３３１）までの上下方向の距離（線分Ｊ）は、フロントパッチ３０の左側縁辺３０５及び右側縁辺３０６の長さ（線分Ｄ）に対して、１〜５０％、又は１０〜４０％の距離であることが好ましく、２０〜３０％の距離であることが特に好ましい。
【００５７】
また、図３及び図４に示されるように、線分Ｃと線分Ｊの距離は、実質的に同一であることが好ましいが、両者は異なるものであってもよい。線分Ｃは、要するに、上部切り欠き部３１の凹み幅であり、線分Ｊは、左下切り欠き部３２及び右下切り欠き部３３の凹み幅である。例えば、上部切り欠き部３１の凹み幅は、左下切り欠き部３２（又は右下切り欠き部３３）の凹み幅より深いものであってもよい。
【００５８】
また、図３及び図４においては、フロントパッチ３０の上端部３０２が、上縁辺３０１と各側縁辺３０５，３０６の交点と一致していない。フロントパッチ３０の上端部３０２から当該交点までの左右方向の距離（線分Ｋ）は、例えば、５〜５０ｍｍとすることが好ましく、２０〜３０ｍｍであることが特に好ましい。また、図３及び図４においては、左下切り欠き部３２の凹頂部３２１及び右下切り欠き部３３の凹頂部３３１が、下縁辺３０３と各側縁辺３０５，３０６の交点と一致していない。左下切り欠き部３２の凹頂部３２１及び右下切り欠き部３３の凹頂部３３１から当該交点までの左右方向の距離（Ｌ）は、例えば、５〜５０ｍｍとすることが好ましく、２０〜３０ｍｍであることが特に好ましい。このように、例えば、フロントパッチ３０の上端部３０２を、上縁辺３０１と各側縁辺３０５，３０６の交点と一致させない構成とすることにより、フロントパッチ３０の角部の角度を９０度以上の直角又は鈍角とすることができるため、着用者の肌が接した場合であっても、着用者が違和感を覚えることがなくなる。
【００５９】
図３及び図４に示されるように、フロントパッチ３０の上縁辺３０１側において、上部切り欠き部３１の凹頂部３１１から上下方向に延びる直線と、フロントパッチ３０の上端部３０２から上下方向に延びる直線の間の距離（線分Ｍ）は、５０〜２５０ｍｍ、又は１００〜２００ｍｍであることが好ましく、１３０〜１７０ｍｍであることが特に好ましい。また、図３及び図４に示されるように、フロントパッチ３０の下縁辺３０３側において、フロントパッチ３０の下端部３０４から上下方向に延びる直線と、左下切り欠き部３２の凹頂部３２１（又は右下切り欠き部３３の凹頂部３３１）から上下方向に延びる直線の間の距離（線分Ｎ）は、５０〜２５０ｍｍ、又は１００〜２００ｍｍであることが好ましく、１３０〜１７０ｍｍであることが特に好ましい。上記線分Ｍと線分Ｎの距離は、同一であってもよいし、異なるものであってもよい。
【００６０】
（１−３．吸収性本体）
吸収性本体１４は、前身頃２、股下部４、及び後身頃６から構成され、複数のシートが吸収体２２を挟持した状態で積層されたものである。実施形態１のテープ型使い捨ておむつ１００においては、トップシート１８とバックシート２０とが吸収体２２を挟持した状態で積層された吸収性本体１４を備えている。このような吸収性本体１４は、股下部４を中心として、後身頃６から前身頃２にかけて、尿などの液体を吸収し保持するための吸収体２２が配設されていることが好ましい。この吸収体２２は、着用者の肌に当接する面（肌当接面）側から液透過性のトップシート１８によって被覆され、反対側の肌非当接面側から液不透過性のバックシート２０によって被覆されている。したがって、尿などの液体は、トップシート１８を透過して、吸収体２２に吸収保持され、液透過性のバックシート２０によって外部への漏出が阻止される。
【００６１】
（１−４．吸収体）
吸収体２２は、着用者の尿を吸収し保持するための部材である。吸収体２２は、着用者の尿や体液を吸収し保持ために、吸収性材料によって構成される。吸収性材料としては、例えば、フラッフパルプ、高吸水性ポリマー（Ｓｕｐｅｒ  Ａｂｓｏｒｂｅｎｔ  Ｐｏｌｙｍｅｒ；「ＳＡＰ」）、親水性シート等を採用することができる。フラッフパルプの例は、木材パルプや非木材パルプを綿状に解繊したものである。高吸水性ポリマーの例は、ポリアクリル酸ナトリウムである。親水性シートとしては、例えば、ティシュ、吸収紙、親水化処理を行った不織布を用いることができる。
【００６２】
吸収体２２は、トップシート１８とバックシート２０の間に挟み込まれ、両シートの周縁部が封着されることによって、トップシート１８とバックシート２０との間に封入される。吸収体２２の形状は、図示された形状に制限されるものではなく、例えば、矩形状、ひょうたん型、Ｔ字型とすることができる。図１〜図３に示すテープ型使い捨ておむつ１００では、吸収体２２として矩形状の吸収体を採用している。
【００６３】
（１−５．トップシート）
トップシート１８は、吸収体２２の肌当接面側を被覆するように配置される液透過性のシートである。トップシート１８は、尿などの液体を、その下面側に配置された吸収体２２に浸透させる。
【００６４】
トップシート１８を構成する液透過性材料として、例えば、織布、不織布、多孔性フィルを採用することができる。特に、ポリプロピレン、ポリエチレン、ポリエステル、ナイロンのような熱可塑性樹脂からなる不織布に親水化処理を施したものを用いることが好ましい。
【００６５】
トップシート１８は、単一のシート材によって構成されていてもよいが、複数のシート材によって構成されていてもよい。例えば、吸収体の表面部に配置されるシートと、サイドフラップの部分に配置されるシートを組み合わせた構成であってもよい。
【００６６】
（１−６．バックシート）
バックシート２０は、吸収体２２を肌非当接面側から被覆するように配置される液不透過性のシートである。バックシート２０は、吸収体２２により保持されている液体が、おむつ外部に漏洩してしまうことを防止する。
【００６７】
バックシート２０を構成する液不透過性材料としては、例えば、ポリエチレン等の樹脂からなる液不透過性フィルム等を採用することができる。特に、微多孔性ポリエチレンフィルムを用いることが好ましい。この微多孔性ポリエチレンフィルムは、０．１μｍ程度の微細な孔が多数形成されており、液不透過性ではあるが透湿性を有するためおむつ内部の蒸れを防止することができるという点において好ましい。
【００６８】
また、バックシート２０の外表面には、バックシート２０を補強し、その手触りを良くするために、カバーシートを貼り合わせることとしてもよい。カバーシートを形成する材料としては、例えば、ポリエチレン、ポリプロピレン、ポリエステルのような熱可塑性樹脂からなる不織布、又は湿式不織布を用いることができる。
【００６９】
（１−７．立体ギャザー）
立体ギャザー２６は、着用者の排泄した尿などがおむつ外部へ漏出することを防止するための防漏壁として機能する部材である。立体ギャザー２６は、トップシート１８やバックシート２０とは異なるサイドシートにより形成されることとしてもよい。例えば、サイドシートの一端側をトップシート１８の表面に固着し、他端側に立体ギャザー伸縮材２８を伸長状態で配設する。これにより、立体ギャザー２６は、立体ギャザー伸縮材２８の収縮力により起立し、おむつの脚周り開口部等から尿などの液体が漏出する横漏れを有効に防止することができる。
【００７０】
立体ギャザー２６は、股下部４からの漏れを防止するため、少なくとも股下部４に形成されていればよいが、後身頃６や前身頃２にかけて形成されていてもよい。また、立体ギャザー２６は、股下部の左右側方に、少なくとも１対以上形成されていればよく、例えば、股下部の左右側方に２対以上形成することとしてもよい。
【００７１】
（１−８．各種ギャザー）
テープ型の使い捨ておむつ１００においては、上記立体ギャザー２６の他に、脚部周りギャザーや、腰周りギャザーを形成することが好ましい。
【００７２】
脚部周りギャザーは、使い捨ておむつの脚部周りの開口部から、尿などの液体が漏出する事態を防止するための部材である。脚部周りの開口部に沿って、脚部周り伸縮材４０が伸長状態で配置され、この脚部周り伸縮材４０の収縮力を利用して、脚部周りギャザーが形成される。これにより、脚周りに隙間が形成され難くなり、脚周り開口部からの尿漏れを効果的に防止することができる。また、脚部周りギャザーを形成すると、おむつを交換する際に、吸収体２２の両側で脚部周り伸縮材４０が収縮するため、股下部４が全体として椀状に変形する。このため、尿や体液が椀状に形成された股下部４に溜まり、尿をこぼすことなく容易におむつの交換を行うこともできるようになる。
【００７３】
例えば、図２に示すテープ型使い捨ておむつ１００は、このテープ型使い捨ておむつ１００の脚部周りに、おむつの長手方向（上下方向）に沿って直線的な２本の脚部周り伸縮材４０を配置した例である。この脚部周り伸縮材４０は、例えば、糸ゴムや平ゴムによって構成されている。脚部周り伸縮材４０は、必ずしも直線的に配置する必要はなく、例えば、おむつの脚周り開口部のカーブに沿って曲線的に配置してもよい。
【００７４】
また、腰周りギャザーは、使い捨ておむつの腰周りの開口部からの尿漏れを防止するとともに、テープ型使い捨ておむつのフィット性を向上させ、おむつのずり下がりが防止するための部材である。腰周りの開口部にそって、腰周り伸縮材４２が伸長状態で配置され、この腰周り伸縮材４２の収縮力を利用して、腰周りギャザーが形成される。これにより、テープ型使い捨ておむつ１００の後身頃６が着用者の背部に密着するため、背部からの尿漏を有効に防止しつつ、フィット感を向上させることができる。
【００７５】
例えば、図２に示すテープ型使い捨ておむつ１００は、後身頃６の端部の腰周りに相当する位置に、おむつの短手方向（左右方向）に沿って、平ゴムからなる腰周り伸縮材４２を配置した例である。この腰周り伸縮材４２は、脚部周り伸縮材４０と同様に、例えば、糸ゴムや平ゴムによって構成することができる。
【００７６】
脚部周り伸縮材４０や腰周り伸縮材４２としては、例えば、天然ゴムや合成ゴム（ウレタンゴム等）の弾性材からなるゴム、伸縮性ネット、伸縮性フィルム、伸縮性フォーム（ウレタンフォーム等）を採用することができる。これらの、伸縮材は、おむつの他の構成部材に対して、接着剤その他の手段により固定される。固定方法としては、例えば、ホットメルト接着剤、その他の流動性の高い接着剤を用いた接着であってもよいし、ヒートシールのような熱や超音波等による溶着であってもよい。
【００７７】
［実施形態２］
以下、本発明のテープ型使い捨ておむつの実施形態２について、図５を参照しつつ説明する。図５は、本発明のテープ型使い捨ておむつの実施形態２のフロントパッチが配設された部分を模式的に示す拡大模式図である。なお、実施形態２のテープ型使い捨ておむつ２００は、吸収性本体１４の上部切り欠き部３１（フロントパッチ３０の上部切り欠き部３１）が形成された領域に設けられる伸縮部３５ａの構成以外は、図１に示す実施形態１のテープ型使い捨ておむつ１００と同様に構成されている。そのため、実施形態２のテープ型使い捨ておむつ２００においては、実施形態１のテープ型使い捨ておむつ１００と同様に構成された構成要素に、図１に示す実施形態１のテープ型使い捨ておむつ１００の各構成要素と同一の符号を付し、説明を省略する。
【００７８】
図５に示すように、テープ型使い捨ておむつ２００のフロントパッチ３０は、前身頃２の端縁側に位置する上縁辺３０１側がフロントパッチ３０の内側方向に向かって凹むように切り欠かれた、上部切り欠き部３１が形成されたものである。更に、吸収性本体１４の上部切り欠き部３１が形成された領域には、伸縮部３５ａが設けられている。この伸縮部３５ａは、伸張状態で吸収性本体１４に配設された伸縮材３６ａによって形成されている。実施形態２のテープ型使い捨ておむつ２００においては、糸ゴム状の伸縮材３６ａを、曲線状に配置することによって、伸縮部３５ａを形成している。伸縮材３６ａの本数については特に制限はない。伸縮材３６ａは、伸縮部３５ａの伸縮の程度等を勘案した上で、構成材料、その材料の伸長率、固定時の伸長状態等を決定すればよい。なお、図５においては、伸縮材３６ａを、曲線状に配置した場合の例を示しているが、伸縮材３６ａを斜めに配置してもよい。また、伸縮材３６ａを、上部切り欠き部３１が形成された領域に収まるように、Ｖ字状などに配置してもよい。
【００７９】
［実施形態３］
以下、本発明のテープ型使い捨ておむつの実施形態３について、図６を参照しつつ説明する。図６は、本発明のテープ型使い捨ておむつの実施形態３のフロントパッチが配設された部分を模式的に示す拡大模式図である。なお、実施形態３のテープ型使い捨ておむつ３００は、吸収性本体１４の上部切り欠き部３１（フロントパッチ３０の上部切り欠き部３１）が形成された領域に設けられる伸縮部３５ｂの構成以外は、図１に示す実施形態１のテープ型使い捨ておむつ１００と同様に構成されている。そのため、実施形態３のテープ型使い捨ておむつ３００においては、実施形態１のテープ型使い捨ておむつ１００と同様に構成された構成要素に、図１に示す実施形態１のテープ型使い捨ておむつ１００の各構成要素と同一の符号を付し、説明を省略する。
【００８０】
図６に示すように、テープ型使い捨ておむつ３００のフロントパッチ３０は、前身頃２の端縁側に位置する上縁辺３０１側がフロントパッチ３０の内側方向に向かって凹むように切り欠かれた、上部切り欠き部３１が形成されたものである。更に、吸収性本体１４の上部切り欠き部３１が形成された領域には、伸縮部３５ｂが設けられている。この伸縮部３５ｂは、伸張状態で吸収性本体１４に配設された伸縮材３６ｂによって形成されている。実施形態３のテープ型使い捨ておむつ３００においては、糸ゴム状の伸縮材３６ｂを、曲線状に配置することによって、伸縮部３５ｂを形成している。このテープ型使い捨ておむつ３００においては、上部切り欠き部３１の上縁辺３０１の曲線形状に合わせて、３本の伸縮材３６ｂが、曲線状に所定の間隔で配置されている。
【００８１】
［実施形態４］
以下、本発明のテープ型使い捨ておむつの実施形態４について、図７を参照しつつ説明する。図７は、本発明のテープ型使い捨ておむつの実施形態４のフロントパッチが配設された部分を模式的に示す拡大模式図である。なお、実施形態４のテープ型使い捨ておむつ４００は、吸収性本体１４の上部切り欠き部３１（フロントパッチ３０の上部切り欠き部３１）が形成された領域に設けられる伸縮部３５ｃの構成以外は、図１に示す実施形態１のテープ型使い捨ておむつ１００と同様に構成されている。そのため、実施形態４のテープ型使い捨ておむつ４００においては、実施形態１のテープ型使い捨ておむつ１００と同様に構成された構成要素に、図１に示す実施形態１のテープ型使い捨ておむつ１００の各構成要素と同一の符号を付し、説明を省略する。
【００８２】
図７に示すように、テープ型使い捨ておむつ４００のフロントパッチ３０は、前身頃２の端縁側に位置する上縁辺３０１側がフロントパッチ３０の内側方向に向かって凹むように切り欠かれた、上部切り欠き部３１が形成されたものである。更に、吸収性本体１４の上部切り欠き部３１が形成された領域には、伸縮部３５ｃが設けられている。この伸縮部３５ｃは、伸張状態で吸収性本体１４に配設された伸縮材３６ｃによって形成されている。実施形態４のテープ型使い捨ておむつ４００においては、幅広ゴムの伸縮材３６ｃを配置することによって、伸縮部３５ｃを形成している。幅広ゴムの伸縮材３６ｃの形状は矩形である。ただし、幅広ゴムの伸縮材３６ｃの形状について、矩形に限定されることはなく、例えば、矩形の角部をＲ状に切り欠いた形状などであってもよい。
【００８３】
［実施形態５］
以下、本発明のテープ型使い捨ておむつの実施形態５について、図８を参照しつつ説明する。図８は、本発明のテープ型使い捨ておむつの実施形態５のフロントパッチが配設された部分を模式的に示す拡大模式図である。なお、実施形態５のテープ型使い捨ておむつ５００は、吸収性本体１４の上部切り欠き部３１（フロントパッチ３０の上部切り欠き部３１）が形成された領域に設けられる伸縮部３５ｄの構成以外は、図１に示す実施形態１のテープ型使い捨ておむつ１００と同様に構成されている。そのため、実施形態５のテープ型使い捨ておむつ５００においては、実施形態１のテープ型使い捨ておむつ１００と同様に構成された構成要素に、図１に示す実施形態１のテープ型使い捨ておむつ１００の各構成要素と同一の符号を付し、説明を省略する。
【００８４】
図８に示すように、テープ型使い捨ておむつ５００のフロントパッチ３０は、前身頃２の端縁側に位置する上縁辺３０１側がフロントパッチ３０の内側方向に向かって凹むように切り欠かれた、上部切り欠き部３１が形成されたものである。更に、吸収性本体１４の上部切り欠き部３１が形成された領域には、伸縮部３５ｄが設けられている。この伸縮部３５ｄは、伸張状態で吸収性本体１４に配設された伸縮材３６ｄによって形成されている。実施形態５のテープ型使い捨ておむつ５００においては、幅広ゴムの伸縮材３６ｄを配置することによって、伸縮部３５ｄを形成している。幅広ゴムの伸縮材３６ｄの形状は半楕円形状である。ただし、幅広ゴムの伸縮材３６ｄの形状について、半楕円形状に限定されることはなく、例えば、半円形状、又は、その他の異型であってもよい。
【００８５】
［実施形態６］
以下、本発明のテープ型使い捨ておむつの実施形態６について、図９を参照しつつ説明する。図９は、本発明のテープ型使い捨ておむつの実施形態６のフロントパッチが配設された部分を模式的に示す拡大模式図である。なお、実施形態６のテープ型使い捨ておむつ６００は、吸収性本体１４の上部切り欠き部３１（フロントパッチ３０の上部切り欠き部３１）が形成された領域に設けられる伸縮部３５ｅの構成以外は、図１に示す実施形態１のテープ型使い捨ておむつ１００と同様に構成されている。そのため、実施形態６のテープ型使い捨ておむつ６００においては、実施形態１のテープ型使い捨ておむつ１００と同様に構成された構成要素に、図１に示す実施形態１のテープ型使い捨ておむつ１００の各構成要素と同一の符号を付し、説明を省略する。
【００８６】
図９に示すように、テープ型使い捨ておむつ６００のフロントパッチ３０は、前身頃２の端縁側に位置する上縁辺３０１側がフロントパッチ３０の内側方向に向かって凹むように切り欠かれた、上部切り欠き部３１が形成されたものである。更に、吸収性本体１４の上部切り欠き部３１が形成された領域には、伸縮部３５ｅが設けられている。この伸縮部３５ｅは、伸張状態で吸収性本体１４に配設された伸縮材３６ｅによって形成されている。実施形態６のテープ型使い捨ておむつ６００においては、ネット状の伸縮材３６ｅを配置することによって、伸縮部３５ｅを形成している。ネット状の伸縮材３６ｅの形状については特に制限はなく、矩形、半楕円形状、半円形状、又は、その他の異型であってもよい。
【００８７】
［実施形態７］
以下、本発明のテープ型使い捨ておむつの実施形態７について、図１０を参照しつつ説明する。図１０は、本発明のテープ型使い捨ておむつの実施形態７のフロントパッチが配設された部分を模式的に示す拡大模式図である。なお、実施形態７のテープ型使い捨ておむつ７００は、フロントパッチ３０ｆ、及び上部切り欠き部３１ｆ（フロントパッチ３０ｆの上部切り欠き部３１ｆ）が形成された領域に設けられる伸縮部３５ｆの構成以外は、図１に示す実施形態１のテープ型使い捨ておむつ１００と同様に構成されている。そのため、実施形態７のテープ型使い捨ておむつ７００においては、実施形態１のテープ型使い捨ておむつ１００と同様に構成された構成要素に、図１に示す実施形態１のテープ型使い捨ておむつ１００の各構成要素と同一の符号を付し、説明を省略する。
【００８８】
図１０に示すように、テープ型使い捨ておむつ７００のフロントパッチ３０ｆは、前身頃２の端縁側に位置する上縁辺３０１側がフロントパッチ３０ｆの内側方向に向かって凹むように切り欠かれた、上部切り欠き部３１ｆが形成されたものである。フロントパッチ３０ｆにおいては、前身頃２の端縁側に位置する上縁辺３０１全域に、上部切り欠き部３１ｆが形成される。このように構成することによって、上部切り欠き部３１ｆの境界部の影響が少なくなり、上部切り欠き部３１ｆの境界部を跨いで伸縮部３５ｆが設けられていても（別言すれば、上端部３０２よりも、上部切り欠き部３１ｆが形成された領域よりも内側に伸縮部３５ｆが設けられていても）、高い防漏性を実現することができる。また、フィット性、及び装着感も良好である。勿論、伸縮部３５ｆが、上部切り欠き部３１ｆの境界部を跨いで設けられていてもよい。
【００８９】
更に、上部切り欠き部３１ｆが形成された領域には、伸縮部３５ｆが設けられている。この伸縮部３５ｆは、伸張状態で吸収性本体１４に配設された伸縮材３６ｆによって形成されている。実施形態７のテープ型使い捨ておむつ７００においては、糸ゴム状の伸縮材３６ｆを、直線状に配置することによって、伸縮部３５ｆを形成している。伸縮材３６ｆの本数については特に制限はない。また、伸縮部３５ｆは、これまでに説明した実施形態２〜６のテープ型使い捨ておむつの伸縮部と同様に構成されたものであってもよい。フロントパッチ３０ｆには、上縁辺３０１と対向する下縁辺３０２側に、フロントパッチ３０ｆの左下角を切り欠いた左下切り欠き部３２ｆと、フロントパッチ３０ｆの右下角を切り欠いた右下切り欠き部３３ｆと、が形成されていてもよい。
【００９０】
［実施形態８］
以下、本発明のテープ型使い捨ておむつの実施形態８について、図１１を参照しつつ説明する。図１１は、本発明のテープ型使い捨ておむつの実施形態８のフロントパッチが配設された部分を模式的に示す拡大模式図である。なお、実施形態８のテープ型使い捨ておむつ８００は、フロントパッチ３０ｇの構成以外は、図１に示す実施形態１のテープ型使い捨ておむつ１００と同様に構成されている。そのため、実施形態８のテープ型使い捨ておむつ８００においては、実施形態１のテープ型使い捨ておむつ１００と同様に構成された構成要素に、図１に示す実施形態１のテープ型使い捨ておむつ１００の各構成要素と同一の符号を付し、説明を省略する。
【００９１】
図１１に示すように、テープ型使い捨ておむつ８００のフロントパッチ３０ｇは、前身頃２の端縁側に位置する上縁辺３０１側がフロントパッチ３０ｇの内側方向に向かって凹むように切り欠かれた、上部切り欠き部３１ｇが形成されたものである。フロントパッチ３０ｇは、帯状の接着部３７と、帯状の非接着部３８とが、吸収性本体１４の幅方向に交互に複数配置されて、帯状の接着部３７によって前身頃２に接着固定されたものである。テープ型使い捨ておむつ８００は、着用者の腹部のカーブに沿って湾曲した状態で装着される。そして、装着時において、フロントパッチ３０ｇの内側（肌側）に襞状のシワが形成される。すなわち、フロントパッチ３０ｇにおける帯状の非接着部３８が湾曲により内側に膨らみ、フロントパッチ３０ｇに襞ができる。この襞により、伸縮部３５ｇの伸縮材３６ｇの伸縮力で、フロントパッチ３０ｇが収縮することを緩和することができる。したがって、フロントパッチ３０ｇに止着テープ１０を付け易くなる。フロントパッチ３０ｇを接着するパターンとしては、ビード（線状）、スロット（面状）などを挙げることができる。
【００９２】
フロントパッチ３０ｇを接着固定する帯状の接着部３７の、吸収性本体１４の幅方向（左右方向）の長さが、１〜７０ｍｍであることが好ましく、５〜５０ｍｍであることが更に好ましく、１０〜３０ｍｍであることが特に好ましい。また、フロントパッチ３０ｇにおける帯状の非接着部３８の、吸収性本体１４の幅方向（左右方向）の長さが、１〜７０ｍｍであることが好ましく、５〜５０ｍｍであることが更に好ましく、１０〜３０ｍｍであることが特に好ましい。このように構成することによって、フロントパッチ３０ｇに形成される襞の大きさと、そのピッチが適切なものとなり、フロントパッチ３０ｇが収縮することをより良好に緩和することができる。
【００９３】
また、実施形態８のテープ型使い捨ておむつ８００においては、糸ゴム状の伸縮材３６ｇを、直線状に配置することによって、伸縮部３５ｇを形成している。伸縮材３６ｇの本数については特に制限はない。また、伸縮部３５ｇは、これまでに説明した実施形態２〜６のテープ型使い捨ておむつの伸縮部と同様に構成されたものであってもよい。
【００９４】
［テープ型使い捨ておむつの製造方法］
以下、本発明のテープ型使い捨ておむつの製造方法の全体の流れを説明する。ここでは、図１〜図３に示すテープ型使い捨ておむつ１００の製造方法について説明するが、テープ型使い捨ておむつの製造方法については、以下の製造方法に限定されることはない。
【００９５】
まず、バックシート２０の材料となる長尺のバックシート材の上面に、吸収体２２を載置する。また、長尺のバックシート材の上面の、上部切り欠き部３１が形成される領域に、伸縮材３６を伸張状態で配置する。そして、これらの更に上面に、トップシート１８の材料となる長尺のトップシート材を載置する。これにより、使い捨ておむつが連続して連なる中間体が作製される。
【００９６】
伸縮材３６は、上記した長尺のバックシート材と長尺のトップシート材との間に挟み込まれて固定される。これにより、上部切り欠き部３１が形成される領域に伸縮部３５が形成される。
【００９７】
また、上述した中間体を作製する際に、トップシート材に、サイドシートの材料となる長尺のサイドシート材を貼り合わせ、サイドシート材に立体ギャザー伸縮材２８を配設し、立体ギャザー２６が形成することとしてもよい。
【００９８】
このようにして得られた使い捨ておむつの中間体は、おむつの脚周り開口部に相当する部分を円弧状に切り抜いて切除（Ｒカット）し、脚周り開口部が形成される。その後、別ラインにおいて形成された止着テープ１０とフロントパッチ３０を、ぞれぞれ、後身頃６と前身頃２に貼り付ける。そして最後に、使い捨ておむつの中間体を、個々に切断することにより、テープ型使い捨ておむつ１００を製造することができる。
【００９９】
次に、図１２を参照して、フロントパッチ３０を製造する方法について説明する。特に、以下では、フロントパッチ３０の上縁辺３０１と下縁辺３０３が同一の形状で湾曲している例について説明する。
【０１００】
図１２は、フロントパッチ３０の製造工程を概略的に示した模式図である。図１２に示されるように、製造ラインの上流には、フロントパッチ３０の材料となる長尺のフロントパッチ材５１が巻止められたフロントパッチロール５２が位置している。このフロントパッチロール５２から、フロントパッチ材５１が引き出され、矢印Ａの方向に沿って、製造ラインの下流へと運ばれる。フロントパッチロール５２の下流には、裁断用カッターローラ５３が位置している。裁断用カッターローラ５３は回転軸を有し、矢印Ｂの方向に回転する。裁断用カッターローラ５３は、製造ラインに沿って運ばれてきたフロントパッチ材５１を、流れ方向と直交する方向に裁断して、個々のフロントパッチ３０を形成する。
【０１０１】
ここで、裁断用カッターローラ５３の切断刃５４は、フロントパッチ３０の上縁辺３０１と下縁辺３０３の形状に対応した形状で湾曲している。このため、１つの裁断用カッターローラ５３を用いて、フロントパッチ３０の上縁辺３０１と下縁辺３０３を裁断することが可能である。このように、上縁辺３０１と下縁辺３０３の形状が一致してれば、裁断用カッターローラ５３を用いて効率的にフロントパッチ３０を製造することが可能であるため、製造コストを削減することができるとともに、フロントパッチ３０を製造するスピードを向上させることができる。なお、フロントパッチ３０の製造方法については、図１２に示すような方法に限定されることはない。
【０１０２】
以上、実施の形態を説明したが、本発明はこれらに限定されるものではなく、その要旨の範囲内で様々な変形や変更が可能である。
【産業上の利用可能性】
【０１０３】
本発明のテープ型使い捨ておむつは、乳幼児用又は介護を必要とする高齢者や障害者等の成人用のテープ型使い捨ておむつに適用することができる。したがって、本発明は、育児産業や介護産業等において好適に利用し得る。
【符号の説明】
【０１０４】
２：前身頃、２ａ，２ｂ：側縁、４：股下部、６：後身頃、６ａ，６ｂ：側縁、１０：止着テープ、１４：吸収性本体、１８：トップシート、２０：バックシート、２２：吸収体、２６：立体ギャザー、２８：立体ギャザー伸縮材、３０，３０ｆ，３０ｇ：フロントパッチ、３０ａ：中央領域、３０ｂ：左側方領域、３０ｃ：右側方領域、３０１：上縁辺、３０２：上端部、３０３：下縁辺、３０４：下端部、３０５：左側縁辺、３０６：右側縁辺、３１，３１ｆ：上部切り欠き部、３１１：上部切り欠き部の凹頂部、３２，３２ｆ：左下切り欠き部、３２１：左下切り欠き部の凹頂部、３３，３３ｆ：右下切り欠き部、３３１：右下切り欠き部の凹頂部、３５，３５ａ，３５ｂ，３５ｃ，３５ｄ，３５ｅ，３５ｆ，３５ｇ：伸縮部、３６，３６ａ，３６ｂ，３６ｃ，３６ｄ，３６ｅ，３６ｆ，３６ｇ：伸縮材、３７：接着部、３８：非接着部、４０：脚部周り伸縮材、４２：腰周り伸縮材、４４：止着手段、５１：フロントパッチ材、５２：フロントパッチロール、５３：裁断用カッターローラ、５４：切断刃、１００，２００，３００，４００，５００，６００，７００，８００：テープ型使い捨ておむつ、Ｘ：境界部。
【図１】
2014168591.tif 000003
【図２】
2014168591.tif 000004
【図３】
2014168591.tif 000005
【図４】
2014168591.tif 000006
【図５】
2014168591.tif 000007
【図６】
2014168591.tif 000008
【図７】
2014168591.tif 000009
【図８】
2014168591.tif 000010
【図９】
2014168591.tif 000011
【図１０】
2014168591.tif 000012
【図１１】
2014168591.tif 000013
【図１２】
2014168591.tif 000014